(57)【要約】      （修正有）【課題】物を包む用途に使用する場合にその接合位置を自在に選択することができ、かつ、柔軟性に優れた積層シートを提供する。【解決手段】積層シート１は、複数の孔４を有する面ファスナ層２Ａ、２Ｂを、柔軟性を有する支持体３に積層してなる。面ファスナ層２Ａ、２Ｂが切り絵模様を有し、多数の孔４が切り絵模様の切り抜き部５を構成することが好ましく、切り絵模様が小紋模様であることがより好ましい。【選択図】図１
0003216837.tif 000002
【実用新案登録請求の範囲】
【請求項１】
複数の孔を有する面ファスナ層を、柔軟性を有する支持体に積層してなる、積層シート。
【請求項２】
前記面ファスナ層が切り絵模様を有し、前記多数の孔が前記切り絵模様の切り抜き部を構成する、請求項1に記載の積層シート。
【請求項３】
前記切り絵模様が小紋模様である、請求項２に記載の積層シート。
【請求項４】
前記面ファスナ層が、前記切り抜き部と、輪郭線が繋がった面ファスナ部からなり、
前記切り抜き部と前記面ファスナ部の面積比が下記要件を満足する、請求項１〜３の何れかに記載の積層シート。
切り抜き部：面ファスナ部＝９０：１０〜５０：５０
【請求項５】
前記支持体が、布又は紙である、請求項1〜４の何れかに記載の積層シート。
【請求項６】
前記布が織物である、請求項５に記載の積層シート。
【考案の詳細な説明】
【技術分野】
【０００１】
本考案は、例えば風呂敷等、物を包む用途に適した積層シートに関する。
【背景技術】
【０００２】
末端を結ばなくても使用できる風呂敷に関し、風呂敷本体の表裏の少なくとも一部分に面ファスナを取り付け、この表裏の面ファスナを接合させることにより内容物を包む技術が開示されている（特許文献１）。
【０００３】
特許文献１には、風呂敷本体の全面に面ファスナを取り付けた実施例も開示されている。風呂敷本体の全面に面ファスナを取り付けることで、風呂敷で包む内容物の形状やサイズに合わせて、面ファスナの接合位置を自在に選択することが可能になるが、一方で、全面に取り付けた面ファスナの影響で、風呂敷としての柔軟性が低下し、風呂敷本来の機能を損なうという問題があった。
【先行技術文献】
【特許文献】
【０００４】
【特許文献１】特開２００１−３２８６６７号公報
【考案の概要】
【考案が解決しようとする課題】
【０００５】
本考案はこのような事情に鑑みてなされたものであり、物を包む用途に使用する場合にその接合位置を自在に選択することができ、かつ、柔軟性に優れた積層シートの提供を目的とする。
【課題を解決するための手段】
【０００６】
本考案者らは、鋭意検討の結果、所定形状の面ファスナを用いることで、上記の課題が解決されうることを見出した。本考案はかかる知見に基づいて完成した。
【０００７】
本考案は、以下の［１］〜［６］を提供する。
［１］  複数の孔を有する面ファスナ層を、柔軟性を有する支持体に積層してなる、積層シート。
［２］  前記面ファスナ層が切り絵模様を有し、前記多数の孔が前記切り絵模様の切り抜き部を構成する、［１］に記載の積層シート。
［３］  前記切り絵模様が小紋模様である、［２］に記載の積層シート。
［４］  前記面ファスナ層が、前記切り抜き部と、輪郭線が繋がった面ファスナ部からなり、前記切り抜き部と前記面ファスナ部の面積比が下記要件を満足する、［１］〜［３］の何れかに記載の積層シート。
切り抜き部：面ファスナ部＝９０：１０〜５０：５０
［５］  前記支持体が、布又は紙である、［１］〜［４］の何れかに記載の積層シート。
［６］  前記布が織物である、［５］に記載の積層シート。
【考案の効果】
【０００８】
本考案によれば、物を包む用途に使用する場合にその接合位置を自在に選択することができ、かつ、柔軟性に優れた積層シートを提供することができる。
【図面の簡単な説明】
【０００９】
【図１】実施形態１における積層シートの分解斜視図である。
【図２】実施形態１における面ファスナ層の斜視図である。
【図３】小紋模様の例を示す図である。
【図４】面ファスナ部の輪郭線の太さと結合強度の関係を説明する図である。
【図５】他の実施形態における積層シートの分解斜視図である。
【考案を実施するための形態】
【００１０】
以下、本考案を詳細に説明するが、本考案は下記の実施形態に限定されるものではない。
【００１１】
（実施形態１）
本実施形態に係る積層シート１は、図１に示すように、面ファスナ層２Ａと、支持体３と、面ファスナ層２Ｂとを、この順に積層して構成される。
本実施形態の積層シート１は略正方形状を有し、同一形状の面ファスナ層２Ａと、支持体３と、面ファスナ層２Ｂと積層してなるが、積層シート１の形状や、面ファスナ層２Ａと、支持体３と、面ファスナ層２Ｂの各形状は使用目的に応じて、適宜変更することができる。
【００１２】
「マジックテープ（登録商標）」や「ベルクロ（登録商標）」の商標名で知られる面ファスナは、最大幅が１０ｃｍまでの長尺サイズで商品展開されているが、これらの面ファスナを複数組合せて積層シート１を構成することができる。
例えば、積層シート１を、一幅（約３４ｃｍ×約３７ｃｍ）の風呂敷の用途に用いる場合、１０ｃｍ幅×３７ｃｍ長の面ファスー３枚と、４ｃｍ幅×３７ｃｍ長の面ファスナ１枚を準備し、この4枚の面ファスナを、重なりがないように、約３４ｃｍ×約３７ｃｍの正絹縮緬（支持体３）に貼付して、積層シート１を構成することができる。
【００１３】
＜面ファスナ層２Ａ、２Ｂ＞
面ファスナ層２Ａ、２Ｂは、複数の孔を有する。この面ファスナ層２Ａ、２Ｂは、「マジックテープ（登録商標）」や「ベルクロ（登録商標）」の商標名で知られる面ファスナに多数の孔４を設けて形成される。
面ファスナ層２Ａ、２Ｂは、積層シート１の表層のほぼ全面に亘って配置されるため、触感に優れる面ファスナを用いて形成することが好ましい。当該観点から、製編織された基布の同一面上にフック状係合子とループ状係合子が混在して設けられた面ファスナであることが好ましい。前記ループ状係合子の高さが１．５〜４ｍｍで、かつ該フック状係合子の高さより０．１〜２．０ｍｍ高く設けられてなることが更に好ましい。フック状係合子をモノフィラメントから構成し、ループ状係合子を柔軟で感触の良いマルチフィラメントで構成することが最も好ましい。
【００１４】
図２に示すように、前記多数の孔４は、面ファスナの切り抜き部５を構成する。
前記切り抜き部５と、面ファスナの残部であって、輪郭線が繋がった面ファスナ部６とで、切り絵模様を構成する。
切り絵とは、白黒に染め分けた下絵を黒い紙に固定し、不要な部分を切り抜いて絵を作り上げていく絵画の手法のひとつであり、ここで「切り絵模様」とは、面ファスナの不要な部分を切り抜いて作成した模様を意味する。
【００１５】
前記切り絵模様は、図３に示すような小紋模様であることが好ましい。
ここで、小紋とは、は日本の着物の種類の一つであり、全体に細かい模様が入っている点に特徴がある。
すなわち、図３に示す小紋模様を小単位として繰り返し用いて、前記切り絵模様を構成することが好ましい。
【００１６】
図４に示すように、面ファスナ部６を構成する輪郭線（Ｗ）が太くなり、切り抜き部と面ファスナ部の面積比で面ファスナ部の比率が増えるほど、面ファスナ部６の結合強度が大きくなり、面ファスナ層２Ａ、２Ｂの強度が高くなる。
一方、面ファスナ部６を構成する輪郭線（Ｗ）が細くなり、切り抜き部と面ファスナ部の面積比で切り抜き部の比率が増えるほど、面ファスナ層２Ａ、２Ｂの柔軟性が高くなる。
輪郭線（Ｗ）の幅は、１〜１０ｍｍであることが好ましく、２〜４ｍｍであることがより好ましい。
【００１７】
前記強度と柔軟性のバランスの観点から、前記切り抜き部と前記面ファスナ部の面積比が下記要件を満足することが好ましい。
切り抜き部：面ファスナ部＝９０：１０〜５０：５０
前記のように、切り抜き部は、多数の孔４から構成されるが、多数の孔４は、面ファスナの全面に亘って偏りなく分散していることが好ましい。
【００１８】
＜支持体３＞
支持体３は、柔軟性を有する素材からなる。
支持体３が柔軟性を有することによって、例えば、積層シート１を風呂敷の用途に用いる場合に、包むものの大小・形状にとらわれることなく変幻自在に包むことができる。また、包むものがないときには、小さく畳むことができる。
【００１９】
かかる支持体３の材料としては、布又は紙を用いることができる。
ここで、「布」とは、多数の繊維を薄く広い板状に加工したものを意味し、織物、編み物、レース、フェルト、不織布などが例示できる。またここで、「紙」とは、植物などの繊維を絡ませながら薄く平に成形したものを意味する。これらの材料から、積層シート１の使用目的等に応じて適宜選択すればよいが、例えば、織物である布帛を支持体として用いて、小紋模様を有する面ファスナ層２Ａ、２Ｂと組合せたデザイン布帛は風呂敷の用途に適している。
【００２０】
かかる支持体３の厚さは、積層シート１の使用目的等に応じて適宜選択すればよいが、通常は１０〜１０００μｍであることが好ましく、特に２０〜８００μｍであることが好ましい。
【００２１】
＜製造方法＞
本実施形態の積層シート１の製造方法は、面ファスナに多数の孔を設けて切り絵模様を形成する工程と、切り絵模様を形成した面ファスナを支持体３に縫い付ける、又は貼り付ける工程を有する。
面ファスナの少なくとも四隅は支持体３に縫い付けることが好ましい。
面ファスナの外周で囲まれた形状と、支持体の形状は、略同一形状であることが好ましいが、支持体を２０％程度大きくすることもできる。
【００２２】
（他の実施形態）
上記実施形態１では、面ファスナ層２Ａと、支持体３と、面ファスナ層２Ｂとを、この順に積層して構成した３層構成の積層シートについて説明したが、本考案の積層シートは、複数の孔を有する面ファスナ層を、柔軟性を有する支持体に積層してなるものであればよく、例えば、図５に示すように、面ファスナ層２Ａと、支持体３とを、この順に積層して構成した２層構成の積層シートとすることもできる。
この場合、支持体３としてニット等のループを有する布を用い、少なくともフック状係合子を設けた面ファスナと組合せて使用することで、面ファスナ層２Ａと支持体３を接合させることもできる。
【実施例】
【００２３】
以下、実施例により本考案を具体的に説明するが、本考案はこれらの実施例により何ら制限されない。
【００２４】
［実施例１］
面ファスナ（（株）クラレファスニング製、フリーマジック（登録商標）、幅１０ｃｍ、長さ３０ｃｍ）を３枚用意し、それぞれが格子状となるように孔を多数形成して、下記面積比で面ファスナ層を形成した。
切り抜き部：面ファスナ部＝９０：１０
面ファスナを、風呂敷用の正絹縮緬（山田繊維（株）製、幅３０ｃｍ、長さ３０ｃｍ）にそれぞれを重なりがないようアイロンで貼り付け積層シートを得た。
積層シートの柔軟性と耐久性をそれぞれ以下の評価基準に従って評価した。結果を表１に示した。
評価基準  ◎：非常に良い、○：良い、×：悪い
＜柔軟性の評価方法＞
７０mm幅×３０mm長に採取した小片をまるめて直径２０mm×３０mmサイズの円筒を作製し（のりしろはシアノアクリレート系瞬間接着剤で固定）、これをＪＩＳ規格Ｋ−６３８２の圧縮試験に供し、５０％圧縮時の応力（２０℃で、円筒の直径が１０mmになるまで潰した状態）を求めて比較し、その数値が少ない程積層布の柔軟性が優れていると判断した。柔軟性を評価する試験機としてループ・ステフネス・テスター（（株）東洋精機製作所製）を使用した。
◎：柔軟性良好（２００ｇ以下：軟質塩ビ並み）
○：やや柔軟性に劣る（２００〜２４９ｇ）
×：柔軟性に劣る（２５０ｇ以上）
＜耐久性の評価方法＞
供試試料をＪＩＳ規格Ｋ−６３０１に規定の屈曲試験３００００回に供し、試料の表面状態を観察し、下記判定基準に従って積層布の屈曲疲労強さを評価した。繰返し屈曲疲労強さを評価する試験機にはデマッチャ・フレキシング・テスター（（株）安田精機製作所製）を使用した。また試験機に装着する供試試料の形態は、積層布の折曲げと折畳みに対する耐久性が評価できる様に、５０mm幅×１５０mm長のサイズとし、幅の中心２５mmから左右２つ折りに重ね合わせた２５mm幅×１５０mm長のサイズとした。
◎：フィルム及び、積層布本体に異常がない状態。
○：フィルム表面に屈曲疲労による軽度の亀裂の発生を認めるか、またはフィルムが繊維布帛から部分的に剥がれて浮き上がっている状態。
×：フィルム表面に屈曲疲労による重度の亀裂（穴あき）の発生を認める状態。またはフィルムが繊維布帛から剥がれて浮き上がっている状態。
【００２５】
［実施例２］
切り抜き部：面ファスナ部＝５０：５０とした以外は実施例１と同様に評価した。結果を表１に示した。
【００２６】
［実施例３］
切り抜き部：面ファスナ部＝４０：６０とした以外は実施例１と同様に評価した。結果を表１に示した。
【００２７】
［比較例１］
面ファスナ（（株）クラレファスニング製、フリーマジック（登録商標）、幅１０ｃｍ、長さ３０ｃｍ）３枚それぞれに切り抜き部を設けずに、風呂敷用の正絹縮緬（山田繊維（株）製、幅３０ｃｍ、長さ３０ｃｍ）にそれぞれをアイロンで貼り付け積層シートを得た。
積層シートの柔軟性と耐久性は、実施例１と同様に評価した。結果を表１に示した。
【００２８】
【表１】
0003216837.tif 000003
【００２９】
上記の結果から明らかなように、本考案の構成要件を満足する実施例１〜３の積層シートは、何れも、本考案の構成要件を満足しない比較例１の積層シートに比べて、柔軟性に優れ、耐久性にも優れていた。
【産業上の利用可能性】
【００３０】
本考案の積層シートは、面ファスナ層の切り絵模様により意匠性にも優れるため、風呂敷、ふくさ、ハンカチ、スカーフ、包装資材等の他、ランチョンマット、テーブルクロス、コースター、のぼり、カーテン、のれん、カレンダー・地図、クロスクラフト、バッグ、本カバー、ゼッケン、掛け軸、手芸用素材（パッチワーク、着せ替え人形、ペット衣料、洋服、クッションカバー）等の極めて多種の用途に用いることができる。
【符号の説明】
【００３１】
１    積層シート
２Ａ、２Ｂ  面ファスナ層
３    支持体
４    孔
５    切り抜き部
６    面ファスナ部
【図１】
0003216837.tif 000004
【図２】
0003216837.tif 000005
【図３】
0003216837.tif 000006
【図４】
0003216837.tif 000007
【図５】
0003216837.tif 000008
【手続補正書】
【提出日】平成30年4月23日(2018.4.23)
【手続補正１】
【補正対象書類名】実用新案登録請求の範囲
【補正対象項目名】全文
【補正方法】変更
【補正の内容】
【実用新案登録請求の範囲】
【請求項１】
複数の孔を有する面ファスナ層を、柔軟性を有する支持体に積層してなる、積層シート。
【請求項２】
前記面ファスナ層が切り絵模様を有し、前記多数の孔が前記切り絵模様の切り抜き部を構成する、請求項1に記載の積層シート。
【請求項３】
前記切り絵模様が小紋模様である、請求項２に記載の積層シート。
【請求項４】
前記面ファスナ層が、前記切り抜き部と、輪郭線が繋がった面ファスナ部からなり、
前記切り抜き部と前記面ファスナ部の面積比が下記要件を満足する、請求項２又は３に記載の積層シート。
切り抜き部：面ファスナ部＝９０：１０〜５０：５０
【請求項５】
前記支持体が、布又は紙である、請求項1〜４の何れかに記載の積層シート。
【請求項６】
前記布が織物である、請求項５に記載の積層シート。
【手続補正２】
【補正対象書類名】明細書
【補正対象項目名】０００７
【補正方法】変更
【補正の内容】
【０００７】
本考案は、以下の［１］〜［６］を提供する。
［１］  複数の孔を有する面ファスナ層を、柔軟性を有する支持体に積層してなる、積層シート。
［２］  前記面ファスナ層が切り絵模様を有し、前記多数の孔が前記切り絵模様の切り抜き部を構成する、［１］に記載の積層シート。
［３］  前記切り絵模様が小紋模様である、［２］に記載の積層シート。
［４］  前記面ファスナ層が、前記切り抜き部と、輪郭線が繋がった面ファスナ部からなり、前記切り抜き部と前記面ファスナ部の面積比が下記要件を満足する、［２］又は［３］に記載の積層シート。
切り抜き部：面ファスナ部＝９０：１０〜５０：５０
［５］  前記支持体が、布又は紙である、［１］〜［４］の何れかに記載の積層シート。
［６］  前記布が織物である、［５］に記載の積層シート。